(57)【要約】【課題】通常表示用の縮小画像データの一部分を拡大表示する拡大表示処理を前回の拡大表示処理のときに記憶した部分から開始できるようにする。【解決手段】メイン制御部１１０は、拡大表示処理の処理モードを判定する（Ｓ６０５）。処理モードがモードＡである場合は、中央の画像ブロックから拡大表示処理を開始する。処理モードがモードＢである場合は、前回の拡大表示処理のときに記憶したブロック番号に対応する画像ブロックから拡大表示処理を開始する。【選択図】　　　図６
2004120004.tif 000002
【特許請求の範囲】
【請求項１】
縮小画像データの一部分の拡大画像を表示する拡大表示処理を実行可能な撮像装置であって、
前記拡大表示処理をユーザが設定した任意の部分から開始することを特徴とする撮像装置。
【発明の詳細な説明】
【０００１】
【発明の属する技術分野】
本発明は、通常表示用の縮小画像データの拡大表示が可能な撮像装置に関するものである。
【０００２】
【従来の技術】
従来のデジタルカメラには、通常表示用の縮小画像データの拡大表示が可能なものがある。
【０００３】
【発明が解決しようとする課題】
しかしながら、従来のデジタルカメラには、通常表示用の縮小画像データの一部分を拡大表示する拡大表示処理を前回の拡大表示処理のときに記憶した部分から開始できるものがなかった。
本発明は、このような問題を解決するためになされたものであり、通常表示用の縮小画像データの一部分を拡大表示する拡大表示処理を前回の拡大表示処理のときに記憶した部分から開始できるようにすることを目的とする。
【０００４】
【課題を解決するための手段】
本発明の撮像装置は、縮小画像データの一部分の拡大画像を表示する拡大表示処理を有する撮像装置であって、前記拡大表示処理をユーザが設定した部分から開始することを特徴とする。
【０００５】
【発明の実施の形態】
以下、図１〜図９を参照し、本発明の実施の形態を説明する。
図１は、本実施の形態における撮像装置１０の主要な構成を示す図である。なお、撮像装置１０は、デジタルカメラであっても、イメージセンサを用いて被写体を撮像する機能を有する装置（例えば、デジタルカメラ付き携帯情報端末）であってもよい。
【０００６】
図１において、撮像部１０１は、イメージセンサを用いて被写体を撮像し、その被写体の画像データであるオリジナル画像データを生成するユニットである。撮像制御部１０２は、メイン制御部１１０からの指示に従って撮像部１０１の動作を制御するユニットである。撮像制御部１０２は、撮像部１０１で生成された画像データに関する情報をメイン制御部１１０に提供する。画像処理部１０３は、撮像部１０１から得た画像データの画質を予め設定された複数の画像調整パラメータに従って調整し、調整後の画像データを所定の画像圧縮方式に従って圧縮するユニットである。メモリ１０４は、様々なデータを記憶するものである。
【０００７】
メモリインターフェース部１０５は、メイン制御部１１０が指定した画像ファイルをリムーバブルメモリ１０６に書き込んだり、メイン制御部１１０が指定した画像ファイルをリムーバブルメモリ１０６から読み出したりするユニットである。リムーバブルメモリ１０６は、複数の画像ファイルの記憶が可能なものである。
【０００８】
ネットワークインターフェース部１０７は、メイン制御部１１０が指定した画像ファイルを外部装置１０８に送信するユニットである。外部装置１０８は、撮像装置１０をリモートコントロールするアプリケーションプログラム、画像データの画質を複数の画像調整パラメータに従って調整するアプリケーションプログラムなどをインストールした装置である。
【０００９】
表示部１０９は、撮像部１０１で撮像された画像の縮小画像データ、リムーバブルメモリ１０６から読み出した画像ファイルの縮小画像データなどを表示するユニットである。
メイン制御部１１０は、撮像装置１０の様々な機能を制御するユニットである。メモリ１１１は、前回の拡大表示処理で選択した画像ブロックのブロック番号を記憶するメモリである。
【００１０】
ユーザインターフェース部１１７は、ユーザの指示をメイン制御部１１０に通知するユニットである。ユーザインターフェース部１１７は、例えば、電源スイッチ１１２、シャッターボタン１１３、ディスプレイボタン１１４、拡大表示ボタン１１５およびセレクトボタン１１６を有する。電源スイッチ１１２は、撮像装置１０の電源をオンまたはオフにするスイッチである。シャッターボタン１１３は、撮像の開始を指示するボタンである。ディスプレイボタン１１４は、画像表示モードを１画像表示モード、４画像表示モード、９画像表示モードまたはインフォメーション表示モードに切り替えるボタンである。拡大表示ボタン１１５は、拡大表示モードをオン（有効）またはオフ（無効）にするボタンである。なお、本実施の形態における撮像装置では、１画像表示モード、４画像表示モード、９画像表示モードおよびインフォメーション表示モードの何れからでも、拡大表示モードに移行可能である。セレクトボタン１１６は、拡大表示処理の処理モードをモードＡまたはモードＢに切り替えるボタンである。なお、拡大表示処理の処理モードは、セレクトボタン１１６によって切り替えることも、外部装置１０８からの指示に従って切り替えることも可能である。
【００１１】
図２は、本実施の形態における撮像処理の手順を示すフローチャートである。
ステップＳ２０１：撮像部１０１は、イメージセンサを用いて被写体を撮像し、その被写体の画像データ（以下、オリジナル画像データ）を生成する。
ステップＳ２０２：画像処理部１０３は、撮像部１０１で生成されたオリジナル画像データの画質などを予め設定された複数の画像調整パラメータに従って調整し、調整後のオリジナル画像データから３種類の縮小画像データ（サムネイルデータ、縮小画像データ（小）および縮小画像データ（大））を生成する。さらに、画像処理部１０３は、３種類の縮小画像データ（サムネイルデータ、縮小画像データ（小）および縮小画像データ（大））を前記オリジナル画像と同じ画像圧縮方式（例えば、ＩＳＯ／ＩＥＣ　１０９１８−１に準拠したＪＰＥＧ方式）に従って圧縮する。
【００１２】
図３は、オリジナル画像データと３種類の縮小画像データ（サムネイルデータ、縮小画像データ（小）および縮小画像データ（大））との関係の一例を説明する図である。サムネイルデータは、最も小さい縮小画像データであり、パーソナルコンピュータなどの装置で使用される縮小画像データである。縮小画像データ（小）は、通常表示用の縮小画像データであり、サムネイルデータよりも大きいサイズの縮小画像データである。撮像装置１０は、画像表示モードが１画像表示モード、４画像表示モード、９画像表示モードまたはインフォメーション表示モードであるときに、縮小画像データ（小）を使用する。縮小画像データ（大）は、拡大表示用の縮小画像データであり、最も大きいの縮小画像データである。撮像装置１０は、画像表示モードが拡大表示モードであるときに、縮小画像データ（大）を使用する。
【００１３】
図４は、縮小画像データ（小）と縮小画像データ（大）との関係の一例を説明する図である。縮小画像データ（小）および縮小画像データ（大）は、図４に示すように、複数の画像ブロックから構成される。縮小画像データ（大）の画像ブロックｎ（ｎ＝０〜８）は、縮小画像データ（小）の画像ブロックｎに対応するものである。つまり、縮小画像データ（大）の画像ブロックｎは、縮小画像データ（小）の画像ブロックｎの拡大画像である。従って、撮像装置１０は、縮小画像データ（小）の画像ブロックｎの拡大画像を表示する場合、縮小画像データ（大）の画像ブロックｎを表示する。なお、縮小画像データ（大）の画像ブロックのサイズは、縮小画像データ（小）のサイズに等しいものとする。
【００１４】
ステップＳ２０３：メイン制御部１１０は、画像処理部１０３で生成されたオリジナル画像データ、サムネイルデータ、縮小画像データ（小）、縮小画像データ（大）および付加データ（オリジナル画像データに関する様々な情報を含む）を含む画像ファイルを生成し、生成した画像ファイルをメモリ１０４に格納する。この画像ファイルの概略構成を図５に示す。
【００１５】
ステップＳ２０４：メモリインターフェース部１０５は、メモリ１０４から画像ファイルを読み出し、読み出した画像ファイルをリムーバブルメモリ１０６に保存する。
このように、本実施の形態における撮像装置１０によれば、被写体を撮像したときに得たオリジナル画像データから拡大表示用の縮小画像データを生成することができるので、通常表示用の縮小画像データの一部を拡大表示する処理を高速に行うことができるようになる。
【００１６】
また、本実施の形態における撮像装置１０によれば、拡大表示用の縮小画像データをサムネイルデータまたは通常表示用の縮小画像データから生成するのではなく、オリジナル画像データから生成することができるので、高解像度な拡大表示用の縮小画像データを表示することができる。
【００１７】
図９は、本実施の形態における撮像装置１０が有する複数の画像表示モードを示す図である。
本実施の形態における撮像装置１０は、図９に示すように、１画像表示モード、４画像表示モード、９画像表示モード、インフォメーション表示モードを有する。１画像表示モードは、１つの画像ファイルから得た縮小画像データ（小）を表示部１０９に表示する画像表示モードである。４画像表示モードは、４つの画像ファイルから得た縮小画像データ（小）をマトリックス状に配置して表示部１０９に表示する画像表示モードである。９画像表示モードは、９つの画像ファイルから得た縮小画像データ（小）をマトリックス状に配置して表示部１０９に表示する画像表示モードである。また、インフォメーション表示モードは、１つの画像ファイルから得た縮小画像データ（小）と、その画像データから得たオリジナル画像データに関する様々な情報を表示部１０９に表示する画像表示モードである。
【００１８】
本実施の形態における撮像装置１０はさらに、拡大表示モードを有する。拡大表示モードは、ユーザが選択した縮小画像データ（小）の拡大画像を後述する拡大表示処理に従って表示部１０９に表示する画像表示モードである。拡大表示モードは、拡大表示ボタン１１５を押すだけで、１画像表示モード、４画像表示モード、９画像表示モードおよびインフォメーション表示モードの何れからでも移行可能である。
【００１９】
このように、本実施の形態における撮像装置１０は、複数の画像表示モード（１画像表示モード、４画像表示モード、９画像表示モードおよびインフォメーション表示モード）の何れからでも、拡大表示ボタン１１５を押すだけで、拡大表示モードに移行することができるので、簡単で使いやすいユーザインターフェースをユーザに提供することができる。
【００２０】
図６〜図８は、縮小画像データ（小）の一部を拡大表示する拡大表示処理の処理手順を示すフローチャートである。
ステップＳ６０１：メイン制御部１１０は、ユーザが拡大表示モードをオンにしたか否かを判定する。このとき、撮像装置１０の画像表示モードは、１画像表示モード、４画像表示モード、９画像表示モードおよびインフォメーション表示モードの何れであってもよい。ユーザが拡大表示モードをオンにした場合はステップＳ６０２に進む。この場合、拡大表示モードがオンになる。
【００２１】
ステップＳ６０２：メモリインターフェース部１０５は、選択中の縮小画像データ（小）に対応する画像ファイルをリムーバブルメモリ１０６から読み出し、読み出した画像ファイルをメモリ１０４に格納する。
【００２２】
ステップＳ６０３：メイン制御部１１０は、メモリ１０４に格納された画像ファイルを解析し、その画像ファイルに縮小画像データ（大）が付加されているか否かを判定する。付加されていない場合はステップＳ６０４に進み、付加されている場合はステップＳ６０５に進む。
【００２３】
ステップＳ６０４：メイン制御部１１０は、拡大表示処理が行えないことをユーザに通知するために、そのことを示すメッセージまたはマークを表示部１０９に表示する。その後、メイン制御部１１０は、元の画像表示モード（１画像表示モード、４画像表示モードまたはインフォメーション表示モードにおける画面）に戻る。
【００２４】
ステップＳ６０５：メイン制御部１１０は、拡大表示処理の処理モードを判定する。処理モードがモードＡである場合はステップＳ６０６に進み、処理モードがモードＢである場合はステップＳ６１１に進む。モードＡは、中央の画像ブロック（画像ブロック４）から拡大表示処理を開始する処理モードである。モードＢは、前回の拡大表示処理のときに記憶したブロック番号に対応する画像ブロックから拡大表示処理を開始する処理モードである。
【００２５】
ステップＳ６０６：メイン制御部１１０は、中央の画像ブロックを縮小画像データ（大）から取り出し、取り出した画像ブロックを表示部１０９に表示する。ステップＳ６０７：メイン制御部１１０は、ユーザが拡大表示モードをオフにしたか否かを判定する。ユーザが拡大表示モードをオフにした場合はステップＳ６０８に進む。
【００２６】
ステップＳ６０８：メイン制御部１１０は、拡大表示処理を終了し、元の画像表示モード（１画像表示モード、４画像表示モードまたはインフォメーション表示モードにおける画面）に戻る。
【００２７】
ステップＳ６０９：メイン制御部１１０は、別の画像ブロックが選択されたか否かを判定する。別の画像ブロックが選択された場合はステップＳ６１０に進む。なお、画像ブロックの選択は、ユーザインターフェース部１０７を用いて行うことができる。
【００２８】
ステップＳ６１０：メイン制御部１１０は、選択された画像ブロックを縮小画像データ（大）から取り出し、取り出した画像ブロックを表示部１０９に表示する。
【００２９】
ステップＳ６１１：メイン制御部１１０は、メモリ１１１が記憶するブロック番号を読み出す。
【００３０】
ステップＳ６１２：メイン制御部１１０は、ステップＳ６１１で読み出したブロック番号に対応する画像ブロックを縮小画像データ（大）から切り出し、切り出した画像ブロックを表示部１０９に表示する。
【００３１】
ステップＳ６１３：メイン制御部１１０は、ユーザが拡大表示モードをオフにしたか否かを判定する。ユーザが拡大表示モードをオフにした場合はステップＳ６１４に進む。
【００３２】
ステップＳ６１４：メイン制御部１１０は、選択中の画像ブロックのブロック番号をメモリ１１１に書き込む。
【００３３】
ステップＳ６１５：メイン制御部１１０は、拡大表示処理を終了し、元の画像表示モード（１画像表示モード、４画像表示モードまたはインフォメーション表示モードにおける画面）に戻る。
【００３４】
ステップＳ６１６：メイン制御部１１０は、別の画像ブロックが選択された否かを判定する。別の画像ブロックが選択された場合はステップＳ６１７に進む。なお、画像ブロックの選択は、ユーザインターフェース部１０７を用いて行うことができる。
【００３５】
ステップＳ６１７：メイン制御部１１０は、選択された画像ブロックを縮小画像データ（大）から取り出し、取り出した画像ブロックを表示部１０９に表示する。
このように、本実施の形態における撮像装置１０によれば、被写体を撮像したときに得た拡大表示用の縮小画像データを用いて拡大表示処理を行うことができるので、拡大表示処理を高速に行うことができるようになる。
【００３６】
また、本実施の形態における撮像装置１０によれば、拡大表示用の縮小画像データをサムネイルデータまたは通常表示用の縮小画像データから生成するのではなく、オリジナル画像データから生成することができるので、高解像度な拡大表示用の縮小画像データを表示することができる。
また、本実施の形態における撮像装置１０によれば、拡大表示処理を前回の拡大表示処理のときに記憶した部分から開始することができる。
【００３７】
（本発明の他の実施形態）
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００３８】
また、この場合、上記ソフトウェアのプログラムコード自体が上述した実施形態の機能を実現することになり、そのプログラムコードは本発明を構成する。また、そのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３９】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００４０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００４１】
【発明の効果】
本発明によれば、通常表示用の縮小画像データの一部分を拡大表示する拡大表示処理を前回の拡大表示処理のときに記憶した部分から開始することができる。
【図面の簡単な説明】
【図１】本実施の形態における撮像装置の主要な構成を示す図である。
【図２】撮像処理の手順を示すフローチャートである。
【図３】オリジナル画像データと３種類の縮小画像データ（サムネイルデータ、縮小画像データ（小）および縮小画像データ（大））との関係を説明する図である。
【図４】縮小画像データ（小）と縮小画像データ（大）との関係を説明する図である。
【図５】画像ファイルの概略構成を示す図である。
【図６】拡大表示処理の手順を示すフローチャートである。
【図７】拡大表示処理の手順を示すフローチャートである。
【図８】拡大表示処理の処理手順を示すフローチャートである。
【図９】本実施の形態の画像表示モードの関係を示す図である。
【符号の説明】
１０　撮像装置
１０１　撮像部
１０２　撮像制御部
１０３　画像処理部
１０４　メモリ
１０５　メモリインターフェース部
１０６　リムーバブルメモリ
１０７　ネットワークインターフェース部
１０８　外部装置
１０９　表示部
１１０　メイン制御部
１１１　メモリ
１１２　電源スイッチ
１１３　シャッターボタン
１１４　ディスプレイボタン
１１５　拡大表示ボタン
１１６　セレクトボタン
１１７　ユーザインターフェース部
【図１】
2004120004.tif 000003
【図２】
2004120004.tif 000004
【図３】
2004120004.tif 000005
【図４】
2004120004.tif 000006
【図５】
2004120004.tif 000007
【図６】
2004120004.tif 000008
【図７】
2004120004.tif 000009
【図８】
2004120004.tif 000010
【図９】
2004120004.tif 000011